(57)【要約】【課題】磁力によって複数の構成片を連結するに際し、磁極の反発による不具合を生ずる事なく、各々の構成片を自由に組み合わせることが可能な組合せ式の床敷物を提供する。【解決手段】複数の多角形構成片１０の各々を磁力により組み合わせて成る組合せ式床敷物であって、多角形構成片１０の各辺側面に偶数個の磁石１３を水平方向に沿って直列に配置し、多角形構成片１０の全周を通して隣接する磁極が相異なるように磁石１３を配列したことを特徴とする組合せ式床敷物。【選択図】図１
0003162238.tif 000002
【実用新案登録請求の範囲】
【請求項１】
複数の多角形構成片の各々を磁力により組み合わせて成る組合せ式床敷物であって、
前記多角形構成片の各辺側面に偶数個の磁石を水平方向に沿って直列に配置し、前記多角形構成片の全周を通して隣接する磁極が相異なるように前記磁石を配列したことを特徴とする組合せ式床敷物。
【考案の詳細な説明】
【技術分野】
【０００１】
本考案は、床上に敷設されるマットやカーペット、或いは絨毯やラグ等に関するものであり、より詳細には、複数の多角形構成片の各々を磁力によって組み合わせて成る組合せ式の床敷物に関するものである。
【背景技術】
【０００２】
家屋内のフローリング床や畳の上に敷設される床敷物としては、マットやカーペット或いは絨毯などの敷物類が広く知られている。これらの床敷物は、例えば、ペルシャ絨毯のように伝統的・美術的な価値が有るものから、ナイロン等の化学製品によって大量生産される日用的なカーペットに至るまで多種多様のものがあり、これらの床敷物を購入し屋内に敷設して使用する消費者に安らぎと装飾的な満足感を与えている。
【０００３】
しかしながら、これらの床敷物は、一旦床に敷設された後は長期間その状態が保たれるため、ややもすればその意匠や図柄が消費者に飽きられ不満を生じさせる原因となっていた。従来、このような装飾的マンネリズム感を解消し、消費者に新鮮な感動を与えるべく、例えば、特許文献１に示されるような、その意匠や図柄の再構成が可能なモジュール型の組み立て式床敷物が開示されている。
【０００４】
同文献に示される床敷物は、様々な設計で容易に組み立てられ、かつ分割可能なモジュールユニットを含む再構成可能な床敷物であり、モジュール型の各ユニットは隣り合うユニットどうしが連結されるように組み立てられる。したがって、このような床敷物を用いれば、随時、モジュールユニットを組み替えることによって、消費者は床敷物自体を新たに買い換えること無く、様々の意匠や図柄の変化を楽しむことができる。
【０００５】
【特許文献１】特表２００５−５３８７６０号公報
【考案の開示】
【考案が解決しようとする課題】
【０００６】
同文献に示された先行技術では、モジュール型の各ユニットは隣り合うユニットどうしを、例えば、磁石やマジックファスナー（登録商標）などの連結手段を用いて任意に組み合わせる構成となっている。しかしながら、特に磁石を連結手段として用いた際には、磁石のＮ極或いはＳ極の同極どうしが反発しあうという点から、各ユニットの組合せにおいて不具合を生ずる場合があった。
【０００７】
何となれば、モジュール型の各ユニットを平面の二次元方向に制限なく拡張して組み合わせるには、各々のユニットの四辺全てに磁石を配置しなければならず、隣接ユニット間において同極性の磁極が相対した場合は、磁極間の反発が生じて隣会うユニットどうしの連結が妨げられるからである。因みに、同文献には、単に磁石を用いたモジュール型ユニットの連結方法が示唆されているのみであり、係る不具合に対する合理的解決方法が全く開示されていなかった。
【０００８】
本考案は、このような従来からの課題を解決することを目的とするものであって、磁力によって複数の構成片を連結するに際し、磁極の反発による不具合を生ずることなく、各々の構成片を自由・自在に組み合わせることが可能な組合せ式の床敷物を提供することを目的とする。
【課題を解決するための手段】
【０００９】
本考案の第１の観点による組合せ式床敷物は、前述の目的を達成するため、
複数の多角形構成片の各々を磁力により組み合わせて成る組合せ式床敷物であって、前記多角形構成片の各辺側面に偶数個の磁石を水平方向に沿って直列に配置し、前記多角形構成片の全周を通して隣接する磁極が相異なるように前記磁石を配列したことを特徴とする。
【００１０】
したがって、このような構成によれば、組合せ式床敷物を構成する多角形構成片の隣接する各辺は、如何なる辺どうしの組合せが行われた場合でも、常に異なる磁極どうしが相対することになり、構成片どうしの連結に際しては磁極の反発によって不具合を来たすおそれがない。
【考案の効果】
【００１１】
本考案によれば、組合せ式床敷物を構成する多角形構成片は、構成片どうしをどのように組合せても、隣接する構成片の各辺は必ず相異なる磁極どうしが相対するため、組合せ式床敷物の構成・再構成を極めて容易、かつ自在に行うことが可能となる。
【考案を実施するための最良の形態】
【００１２】
本考案を実施するための最良の形態である実施例について、添付図面の図１、２を参照しつつ以下に説明を行う。先ず、本実施例に基づく組合せ式床敷物を構成する構成片１０の概略斜視図を図（１ａ）に示す。同図からも明らかように、構成片１０は、平面形状が三角形（正三角形）の表面部材１１と裏面部材１２とを貼り合わせた構造となっており、構成片１０の各辺の側面には、偶数個の磁石１３が水平方向に沿って一列に埋め込まれている。
【００１３】
表面部材１１は、床敷物として直接に人体に触れるものであるため、その表面は適度な弾力と柔軟性を有していることが好ましく、例えば、厚手のフェルト地や厚織布、或いはウレタンなどの部材を用いることが好ましい。一方、裏面部材１２は、構成片１０が敷設される床面に対して所定の粘性抵抗をもって保持される必要があるので、例えば、プレーンゴムやシリコン樹脂、或いは合成樹脂部材等の所定の粘弾性を有する部材を用いることが好ましい。
【００１４】
表面部材１１と裏面部材１２は、例えば、接着剤を用いて貼り合わせるようにしても良いし、或いは、高周波加熱等の電熱融着処理によって貼り合わせる構造としてもよい。さらには、表面部材１１と裏面部材１２とを同一の樹脂部材で構成し、その表面側には発泡処理等による弾性化処理を施し、その裏面には滑り止めを目的としたエンボス模様や線状溝模様等を施すようにしても良い。
【００１５】
構成片１０の各辺側面に埋設された磁石１３は、例えば、ネオジウム磁石やフェライト磁石などの磁性材料を用いた永久磁石であり、構成片１０の一辺毎に偶数個の磁石が設けられている。本実施例においては、図（１ｂ）の平面図に示すように、構成片１０の各辺に各々４個の磁石が設けられているが、磁石の設置数は一辺毎に偶数であれば良く、４個という数に限定されるものではない。
【００１６】
一方、これらの磁石の磁極配列は、図（１ｂ）中の破線矢印に示されるように、構成片１０の全周囲を通して時計方向廻りに「Ｎ極、Ｓ極、Ｎ極、…」の順になっている。すなわち、本実施例において磁石１３は、構成片１０の各辺を合わせた全周を通して隣り合う磁石の極性が互いに異なるように配置されている。
【００１７】
このような構成をとることによって、本考案の実施例においては複数の構成片１０を平面的に組み合わせた場合、相対する各辺は必ず異なる磁極が対向してお互いに吸引し合う構造となる。この様子を図（２ａ）の説明図に示す。なお、図中の白丸点は、構成片１０の各辺における磁石の配置を模式的に表したものである。
【００１８】
同図からも明らかように、構成片Ａの周囲に他の構成片Ｂ〜Ｅ等を組み合わせた場合、各構成片どうしで互いに当接される各辺の磁極の配置は、必ず同図に示されたような異なる磁極どうしが相対する形となり、各構成片相互間の磁力による連結に不具合が生ずることはない。
【００１９】
なお、本考案による構成片１０の形状は、以上に説明した正三角形に限定されるものではなく、例えば、図（２ｂ）に示すような正方形、或いは図（２ｃ）に示すような直角二等辺三角形であっても良い。また、構成片１０の各辺に設置される磁石１３の個数は、本考案の骨子である。
（１）各辺における磁石の設置数が偶数であること
（２）構成片の全周を通して隣接する磁石の極性が互いに異なること
という、二つの原則を満足するものであれば、その個数を自在に選定することができる。
【００２０】
以上に説明したように、本考案による実施例によれば、複数の構成片を自由・自在に組み合わせて、床敷物を容易かつ迅速に構成・再構成することができる。このため、例えば、各構成片の表面に赤、青、黄などのカラフルな色彩を施し、或いは各構成片に様々な図柄を施したならば、新たな費用を要することなく床敷物の模様替えを簡便に行なう事ができる。
【００２１】
また、本考案の実施例による床敷物の構成片は全て同一の構造であるため、一部の構成片が破損や老朽化した場合でも、これを新品に置き換えて補充することが極めて容易である。さらに、本考案の実施例による構成片の連結・組合せにおいては、特殊な工具や接着剤、或いは熟練技能が不要であり誰でも容易に行えるため、例えば、幼児や児童の色彩感覚を育てる教育玩具として、本考案に係る構成片を利用することもできる。
【００２２】
なお、本考案の実施形態は、以上に説明した各実施例に限定されるものではなく、例えば、各々の実施例を構成する各部位の形状や配置或いはその素材等は、本考案の趣旨を逸脱することなく、現実の実施態様に即して適宜変更ができるものであることは言うまでもない。
【産業上の利用可能性】
【００２３】
以上に説明した本考案の構成は、複数の構成片の各々を磁力によって組み合わせて成る組合せ式の床敷物においてその利用が可能である。
【図面の簡単な説明】
【００２４】
【図１】本考案の実施例である床敷物の構成片を示す斜視図および平面図である。
【図２】図１に示す構成片を組み合わせた床敷物の構成例を表した説明図である。
【符号の説明】
【００２５】
１０    …  多角形構成片
１１    …  表面部材
１２    …  裏面部材
１３    …  磁石
【図１】
0003162238.tif 000003
【図２】
0003162238.tif 000004